(57)【要約】【課題】 本発明は、プラズマディスプレイパネル駆動の際、変位電流の大きさを最小化してデータドライバＩＣの破損を止められるプラズマ表示装置及び彼の駆動方法を提供するためのものである。【解決手段】 本発明に係るプラズマディスプレイ装置は、データ電極が形成されたプラズマディスプレイパネルと、前記データ電極にデータ電圧をフローティング状態、または、第１状態の電圧で印加するデータ電圧制御部とを含む。  本発明に係るプラズマディスプレイ装置の駆動方法は、プラズマディスプレイパネルのデータ電極に第１電圧を印加するステップと、前記データ電極にグラウンドレベル、または、フローティング状態で印加するステップとを含むことを特徴とする。【選択図】図７ 
2006018288.tif 000002
【特許請求の範囲】
【請求項１】
データ電極が形成されたプラズマディスプレイパネルと、
前記データ電極にデータ電圧をフローティング状態、または、第１状態の電圧で印加するデータ電圧制御部とを含むことを特徴とするプラズマディスプレイ装置。
【請求項２】
前記第１状態電圧は、グラウンドレベルであることを特徴とする、請求項１記載のプラズマディスプレイ装置。
【請求項３】
前記データ電圧制御部は、前記データ電圧を前記フローティング状態、前記第１状態、または、第２状態の電圧で印加することを特徴とする、請求項１記載のプラズマディスプレイ装置。
【請求項４】
前記データ電圧のフローティング状態、または、第１状態は前記データ電圧による変位電流の大きさによって調節されることを特徴とする、請求項１記載のプラズマディスプレイ装置。
【請求項５】
前記データ電圧制御部は、
前記データ基準電圧の印加を制御する第１データスイッチング素子と、
前記グラウンドレベルの印加を制御する第２データスイッチング素子とを含み、
前記第１データスイッチング素子と前記第２データスイッチング素子がターンオフされ、前記フローティング状態を形成することを特徴とする、請求項１記載のプラズマ ディスプレイ装置。
【請求項６】
前記データ電極に印加される電位がデータ基準電圧からグラウンドレベルに変わる場合、グラウンドレベルをデータ電極に印加する区間は前記フローティング状態を含むことを特徴とする、請求項１記載のプラズマディスプレイ装置。
【請求項７】
前記フローティング状態は前記データ電極に印加される電位がデータ基準電圧からグラウンドレベルに変わる場合、グラウンドレベルをデータ電極に印加する区間で発生することを特徴とする、請求項１記載のプラズマディスプレイ装置。
【請求項８】
前記フローティング状態は、前記データ電極に印加される電位がデータ基準電圧からグラウンドレベルに変わる場合、前記グラウンドレベルをデータ電極に印加する一部区間で発生することを特徴とする、請求項６記載のプラズマディスプレイ装置。
【請求項９】
前記フローティング状態は、前記データ電極に印加される電位がデータ基準電圧からグラウンドレベルに変わる場合、前記データ基準電圧から発生することを特徴とする、請求項１記載のプラズマディスプレイ装置。
【請求項１０】
データ電極が形成されたプラズマディスプレイパネルと、
前記データ電極にデータ基準電圧より低く、グラウンドレベルより高い電圧を印加するデータ電圧制御部とを含むことを特徴とするプラズマディスプレイ装置。
【請求項１１】
前記データ基準電圧より低く、グラウンドレベルより高い電圧は、データ電圧による変位電流の大きさによって調節されることを特徴とする、請求項１０記載のプラズマディスプレイ装置。
【請求項１２】
前記データ電圧制御部は、
前記データ基準電圧の印加を制御する第１データスイッチング素子と、
前記データ基準電圧より低く、前記グラウンドレベルより高い電圧の印加を制御する第２データスイッチング素子とを含むことを特徴とする、請求項１０記載のプラズマディスプレイ装置。
【請求項１３】
データ電極にデータ電圧を印加して駆動するプラズマディスプレイ装置の駆動方法において、
前記データ電極に第１電圧を印加するステップと、
前記データ電極にグラウンドレベル、または、フローティング状態で印加するステップとを含むことを特徴とするプラズマディスプレイ装置の駆動方法。
【請求項１４】
前記グラウンドレベル、または、フローティング状態は、データ電圧の変位電流の大きさによって調節されることを特徴とする、請求項１３記載のプラズマディスプレイ装置の駆動方法。
【請求項１５】
前記フローティング状態は、前記データ電極に印加される電位が第１電圧からグラウンドレベルに変わる場合、グラウンドレベルをデータ電極に印加する区間で発生することを特徴とする、請求項１３記載のプラズマディスプレイ装置の駆動方法。
【請求項１６】
前記フローティング状態は、前記データ電極に印加される電位が第１電圧からグラウンドレベルに変わる場合、前記グラウンドレベルをデータ電極に印加する一部区間で発生することを特徴とする、請求項１３記載のプラズマディスプレイ装置の駆動方法。
【請求項１７】
前記フローティング状態は、前記データ電極に印加される電位が第１電圧からグラウンドレベルに変わる場合、前記第１電圧レベルから発生することを特徴とする、請求項１３記載のプラズマディスプレイ装置の駆動方法。
【請求項１８】
データ電極にデータ電圧を印加して駆動するプラズマディスプレイ装置の駆動方法において、
前記データ電極に第１電圧を印加するステップと、
前記データ電極に前記第１電圧より低く、グラウンドレベルより高い第２電圧を印加するステップとを含むことを特徴とするプラズマディスプレイ装置の駆動方法。
【請求項１９】
前記第２電圧はデータ電圧の変位電流の大きさによって調節されることを特徴とする、請求項１８記載のプラズマディスプレイ装置の駆動方法。
【請求項２０】
前記データ電極に印加される電位が前記データ基準電圧から前記グラウンドレベルに変わる場合、前記グラウンドレベルをデータ電極に印加する区間は前記第２電圧を含むことを特徴とする、請求項１８記載のプラズマディスプレイ装置の駆動方法。
【発明の詳細な説明】
【技術分野】
【０００１】
本発明は、プラズマディスプレイ装置及びその駆動方法に関するものである。
【背景技術】
【０００２】
一般に、プラズマ表示パネル(Ｐｌａｓｍａ Ｄｉｓｐｌａｙ  Ｐａｎｅｌ)は、Ｈｅ＋Ｘｅ、または、Ｎｅ＋Ｘｅ不活性混合ガスの放電時に発生する１４７ｎｍの紫外線により蛍光体を発光させることにより、文字、または、グラフィックを含んだ画像を表示することになる。
【０００３】
図１は、一般的なプラズマ表示パネルの構造を示す斜視図である。図１に示すように、プラズマ表示パネルは上部基板１０上に形成されたスキャン電極１２Ａ及びサステイン電極１２Ｂと、下部基板１８上に形成されたデータ電極２０を備える。 
【０００４】
スキャン電極１２Ａとサステイン電極１２Ｂの各々は透明電極及びバス電極を含む。透明電極はインジウムチンオキサイド(Ｉｎｄｉｕｍ-Ｔｉｎ-Ｏｘｉｄｅ : ＩＴＯ)で形成される。バス電極は抵抗を減らすための金属で形成される。 
【０００５】
スキャン電極１２Ａとサステイン電極１２Ｂが形成された上部基板１０には上部誘電体層１４と保護膜１６が積層される。 
【０００６】
上部誘電体層１４にはプラズマ放電時に発生された壁電荷が蓄積される。保護膜１６はプラズマ放電時に発生したスパッタリングによる上部誘電体層１４の損傷を防止すると共に、２次電子の放出効率を上げることになる。保護膜１６は、通常、酸化マグネシウム(ＭｇＯ)で形成される。
【０００７】
一方、データ電極２０が形成された下部基板１８上には下部誘電体層２２、隔壁２４が形成される。下部誘電体層２２と隔壁２４の表面には蛍光体層２６が塗布される。 
【０００８】
データ電極２０はスキャン電極１２Ａ及びサステイン電極１２Ｂと交叉する方向に形成される。隔壁２４はデータ電極２０と並んで形成され、放電により生成した紫外線及び可視光が隣接した放電セルに漏洩されることを防止する。 
【０００９】
蛍光体層２６は、プラズマ放電時に発生した紫外線により励起され、赤色、緑色、または、青色中、いずれかの１つの可視光線を発生することになる。上／下部基板１０、１８と隔壁２４との間に設けられた放電セルの放電空間には放電のためのＨｅ＋Ｘｅ、または、Ｎｅ＋Ｘｅなどの不活性混合ガスが注入される。
【００１０】
図２は、従来のプラズマディスプレイパネルの駆動方法を説明するための駆動波形である。図２を考察すると、従来のプラズマディスプレイパネルは、全画面を初期化させるためのリセット期間、セルを選択するためのアドレス期間及び選択されたセルの放電を維持させるためのサステイン期間に分れて駆動される。
【００１１】
まず、リセット期間はセットアップ期間(ＳＵ)とセットダウン期間(ＳＤ)とに分けて駆動するが、セットアップ期間(ＳＵ)には全てのスキャン電極(Ｙ)に上昇ランプ波形(Ｒａｍｐ-ｕｐ)が同時に印加される。この上昇ランプ波形により全画面のセル内には放電が生じる。このセットアップ放電によりアドレス電極(Ｘ)とサステイン電極（Ｚ）上には正極性壁電荷が積まれることになり、スキャン電極(Ｙ)上には負極性の壁電荷が積まれることになる。セットダウン期間(ＳＤ)には上昇ランプ波形が供給された後、上昇ランプ波形のピーク電圧より低い正極性電圧から落ち始めて基底電圧(ＧＮＤ)、または、負極性の特定電圧レベルまで落ちる下降ランプ波形(Ｒａｍｐ-ｄｏｗｎ)はセル内に微弱な消去放電を起こすことにより過度に形成された壁電荷を一部消去させることになる。このセットダウン放電によりアドレス放電が安定に起こすことができる程度の壁電荷がセル内に均一に残留する。
【００１２】
アドレス期間は、負極性スキャンパルス(Ｓｃａｎ)がスキャン電極 (Ｙ)に順次に印加されると共に、スキャンパルスに同期されててアドレス電極(Ｘ)に正極性のデータパルス(ｄａｔａ)が印加される。このスキャンパルスとデータパルスとの電圧差とリセット期間に生成した壁電圧が加えられながらデータパルスが印加されるセル内にはアドレス放電が発生する。アドレス放電により選択されたセル内にはサステイン電圧が印加される時に放電が起こることができるようにする程度の壁電荷が形成される。サステイン電極（Ｚ）にはセットダウン期間とアドレス期間間にスキャン電極(Ｙ)との電圧差を減らしてスキャン電極(Ｙ)との誤放電が起こらないように正極性直流電圧(Ｚｄｃ)が供給される。
【００１３】
サステイン期間はスキャン電極(Ｙ)とサステイン電極（Ｚ）に交互にサステインパルス(Ｓｕｓ)が印加される。アドレス放電により選択されたセルはセル内の壁電圧とサステインパルスが加えられながら、毎サステインパルスが印加される度にスキャン電極(Ｙ)とサステイン電極（Ｚ）との間にサステイン放電、即ち、表示放電が起こることになる。また、サステイン放電が完了した後にはパルス幅と電圧レベルが小さなランプ波形(Ｒａｍｐ-ｅｒｓ)がサステイン電極（Ｚ）に供給され、全画面のセル内に残留する壁電荷を消去させることになる。
【００１４】
図３は、従来のプラズマ表示パネルのアドレス期間の間に駆動する駆動回路の動作を説明するための図面である。 
【００１５】
図３を参照すると、アドレス期間のスキャン過程で最初のスキャン電極(Ｙ１)に該当するチャネルが選択されると、残りのスキャン電極(Ｙ２、Ｙ３、……、Ｙｎ)に該当するチャネルは選択されない。 
【００１６】
このようにチャネルが選択されると、選択されたチャネルに該当する最初のスキャンドライバ２１０-１の第２スイッチング素子２１３-１がターンオンされて、スキャン用スイッチング素子２２０がターンオンされる。
【００１７】
これと共に、選択されないチャネルに該当するスキャンドライバ２１０-２ないし２１０-ｎの第１スイッチング素子２１１-２ないし２１１-ｎとグラウンド用スイッチング素子２３０がターンオンされる。
【００１８】
このように、スイッチング素子が動作して、データドライバＩＣ３００の第１データスイッチング素子３１０-１ないし３１０-ｍ、または、第２データスイッチング素子３２０-１ないし３２０-ｍの動作によりデータ電極Ｘ１ないしＸｍにデータ電圧(＋Ｖｄ、または、０Ｖ)が印加されると、最初のラインに位置するセルに書込み動作がなされる。 
【００１９】
また、データパルスは残りのスキャン電極（Ｙ２ないしＹｎ）に該当するスキャンドライバ２１０-２ないし２１０-ｎの第１スイッチング素子２１１-２ないし２１１-ｎとグラウンド用スイッチング素子２３０を経てグラウンドされる。 
【００２０】
このような過程が全てのスキャン電極でなされると、スキャン過程が終わる。 
【００２１】
一方、スキャン過程の以後に第１サステイン用スイッチング素子２４０、スキャンドライバ２１０-１ないし２１０-ｎの第２スイッチング素子２１３-２ないし２１３-ｎ及びグラウンド用スイッチング素子２６０がターンオンする。 
【００２２】
これによって、第１サステイン電圧(＋Ｖｓｙ)、第１サステイン用スイッチング素子２４０、スキャンドライバ２１０-１ないし２１０-ｎの第２スイッチング素子２１３-２ないし２１３-ｎ、各スキャン電極(Ｙ１ないしＹｎ)、サステイン電極(Ｚ１ないしＺｎ)及びグラウンド用スイッチング素子２６０がループ(ｌｏｏｐ)を形成し、スキャン電極（Ｙ１ないしＹｎ）にサステイン電圧(＋Ｖｓｙ)が印加される。 
【００２３】
次に、第２サステイン用スイッチング素子２４０、スキャンドライバ２１０-１ないし２１０-ｎの第１スイッチング 素子２１１-２ないし２１１-ｎ及びグラウンド用スイッチング素子２３０がターンオンする。 
【００２４】
これによって、第２サステイン電圧(＋Ｖｓｚ)、サステイン電極(Ｚ１ないしＺｎ)、スキャン電極(Ｙ１ないしＹｎ)、スキャンドライバ（２１０-１ないし２１０-ｎ)の第１スイッチング素子２１１-２ないし２１１-ｎ及びグラウンド用スイッチング素子２３０がループを形成し、サステイン電極(Ｚ１ないしＺｎ)にサステイン電圧(＋Ｖｓｚ)が印加される。 
【００２５】
このようなプラズマ表示パネルの駆動装置はスキャン期間にスキャンドライバ２１０-１ないし２１０-ｎとデータドライバＩＣ３００-１ないし３００-ｍに含まれたスイッチング素子のスイッチング動作を通じて該電極にスキャン電圧(-Ｖｙｓｃａｎ)とデータ電圧(＋Ｖｄ、または、０Ｖ)を印加するが、この過程でデータ電極を通じてデータドライバＩＣ３００-１ないし３００-ｍに変位電流(Ｉｄ)が流れる。 
【００２６】
一般的なプラズマ表示パネルは３電極構造を有しているので、図２でのように、データ電極とデータ電極との間に第１等価キャパシタ(Ｃｍ１)とデータ電極とスキャン電極、または、サステイン電極との間に第２等価キャパシタ(Ｃｍ２)が存在する。 
【００２７】
従って、スキャン過程でスキャンドライバ２１０-１ないし２１０-ｎとデータドライバＩＣ３００-１ないし３００-ｍに含まれたスイッチング素子の動作によって電極に印加される電圧の状態が変わることになるので、第１等価キャパシタ(Ｃｍ１)と第２等価キャパシタ(Ｃｍ２)によって発生した変位電流(Ｉｄ)がデータ電極を通じてデータドライバＩＣ３００-１ないし３００-ｍに流れることになる。 
【００２８】
ところが、このようなデータドライバＩＣ(３００-１ないし３００-ｍ)に流れる変位電流とこれによる電力の大きさはデータ電極(Ｘ１ないしＸｍ)に印加される映像データによって違う。 
【００２９】
このように、データドライバＩＣ３００-１ないし３００-ｍに流れる変位電流の大きさは次の数式１の通りである。
(数式１)
【００３０】
ｉｄ＝Ｃ×(ｄｖ／ｄｔ)×ｆ
ｉｄは、１つのデータ電極に流れる変位電流の大きさ、Ｃはデータ電極間とデータ電極とスキャン電極、または、データ電極とサステイン電極との間のキャパシタンス、ｄｖ／ｄｔは１つのデータ電極での時間に対する電圧の変化率であり、ｆは１つのデータ電極の電圧変化回数を意味する。 
【００３１】
図４は、従来のプラズマ表示パネルで発生する変位電流が最大となる映像信号の波形図である。 
【００３２】
図４に示すように、上記の数式によって計算される変位電流が最も大きい場合は１つのスキャン電極がスキャンされる時にデータ電極に印加される映像データと次回のスキャン電極がスキャンされる時にデータ電極に印加される映像データの位相が１／２周期差が出る場合である。
【００３３】
即ち、このような映像データが印加される時、１つのデータ電極の電位が図２のデータ電圧(Ｖｄ)からグラウンドレベルに、グラウンドレベルからデータ電圧(Ｖｄ)に、各スキャン電極がスキャンされる度に変わる。このような場合、数式のキャパシタンスＣとｆが最大となるので変位電流(ｉｄ)は最大となる。このように、最大の変位電流(ｉｄ)が図２のデータドライバＩＣ３００-１ないし３００-ｍに流れる場合、データドライバＩＣ３００-１ないし３００-ｍが破損する問題点が発生する。 
【００３４】
一方、最大の変位電流がデータドライバＩＣ(３００-１ないし３００-ｍ)に流れることを防ぐために耐圧特性の優れるデータドライバＩＣを使用する場合、製造コストが非常に増加する問題点が発生する。 
【００３５】
図５は、従来のプラズマ表示パネルで変位電流が最大となる映像データによって表示される画像を示すものである。 
【００３６】
図５に示すように、変位電流が最大となる映像データの画像は格子紋パターンを帯びる。従って、格子紋パターンの映像データが入力されると最大の変位電流(ｉｄ)が発生する。このような格子紋パターンは図６に示すように、画質の向上のためのディサリング(ｄｉｔｈｅｒｉｎｇ)過程で使われる４／８レベルのディサマスクに使われる。従って、ディサリングを用いて画質を向上する全てのプラズマ表示パネルで最大の変位電流が発生するのでデータドライバＩＣの破損がより頻繁に生じる。  
【発明の開示】
【発明が解決しようとする課題】
【００３７】
本発明は、プラズマディスプレイパネル駆動の際、変位電流の大きさを最小化してデータドライバＩＣの破損を止められるプラズマ表示装置及びその駆動方法を提供することをその目的とする。
【課題を解決するための手段】
【００３８】
本発明の目的の解決のためのプラズマディスプレイ装置は、データ電極が形成されたプラズマディスプレイパネルと、前記データ電極にデータ電圧をフローティング状態、または、第１状態の電圧で印加するデータ電圧制御部とを含む。
【００３９】
前記第１状態電圧は、グラウンドレベルであることを特徴とする。
【００４０】
前記データ電圧制御部は、前記データ電圧を前記フローティング状態、前記第１状態、または、第２状態の電圧で印加することを特徴とする。
【００４１】
前記データ電圧のフローティング状態、または、第１状態は前記データ電圧による変位電流の大きさによって調節されることを特徴とする。
【００４２】
前記データ電圧制御部は、前記データ基準電圧の印加を制御する第１データスイッチング素子と、前記グラウンドレベルの印加を制御する第２データスイッチング素子を含み、前記第１データスイッチング素子と前記第２データスイッチング素子がターンオフされ、前記フローティング状態を形成することを特徴とする。
【００４３】
前記フローティング状態は前記データ電極に印加される電位がデータ基準電圧からグラウンドレベルに変わる場合、グラウンドレベルをデータ電極に印加する区間で発生することを特徴とする。
【００４４】
前記フローティング状態は前記データ電極に印加される電位がデータ基準電圧からグラウンドレベルに変わる場合、前記グラウンドレベルをデータ電極に印加する一部区間で発生することを特徴とする。
【００４５】
前記フローティング状態は前記データ電極に印加される電位がデータ基準電圧からグラウンドレベルに変わる場合、前記データ基準電圧から発生することを特徴とする。
【００４６】
本発明に係るプラズマディスプレイ装置は、データ電極が形成されたプラズマディスプレイパネルと、前記データ電極にデータ基準電圧より低く、グラウンドレベルより高い電圧を印加するデータ電圧制御部を含む。
【００４７】
前記データ基準電圧より低く、グラウンドレベルより高い電圧はデータ電圧による変位電流の大きさによって調節されることを特徴とする。
【００４８】
前記データ電圧制御部は、前記データ基準電圧の印加を制御する第１データスイッチング素子と、前記データ基準電圧より低く、前記グラウンドレベルより高い電圧の印加を制御する第２データスイッチング素子とを含む。
【００４９】
本発明に係るプラズマディスプレイ装置の駆動方法は、プラズマディスプレイパネルのデータ電極に第１電圧を印加するステップと、前記データ電極にグラウンドレベル、または、フローティング状態で印加するステップとを含むことを特徴とする。
【００５０】
前記グラウンドレベル、または、フローティング状態はデータ電圧の変位電流の大きさによって調節されることを特徴とする。
【００５１】
前記フローティング状態は、前記データ電極に印加される電位が第１電圧からグラウンドレベルに変わる場合、グラウンドレベルをデータ電極に印加する区間で発生することを特徴とする。
【００５２】
前記フローティング状態は前記データ電極に印加される電位が第１電圧からグラウンドレベルに変わる場合、前記グラウンドレベルをデータ電極に印加する一部区間で発生することを特徴とする。
【００５３】
前記フローティング状態は、前記データ電極に印加される電位が第１電圧からグラウンドレベルに変わる場合、前記第１電圧レベルから発生することを特徴とする。
本発明に係るプラズマディスプレイ装置の他の駆動方法は、プラズマディスプレイパネルのデータ電極に第１電圧を印加するステップと、前記データ電極に前記第１電圧より低く、グラウンドレベルより高い第２電圧を印加するステップとを含むことを特徴とする。
【００５４】
前記第２電圧はデータ電圧の変位電流の大きさによって調節されることを特徴とする。
【発明の効果】
【００５５】
このように、従来のデータ基準電圧(Ｖｄ)からグラウンド(ＧＮＤ)レベルに変化は電位とは異なり、データ基準電圧(Ｖｄ)からグラウンド(ＧＮＤ)より高いレベルの電圧(Ｖｄ-ΔＶ)に変化されることによって発生される変位電流が減少することになる。
【発明を実施するための最良の形態】
【００５６】
以下、本発明の実施の形態を添付の図面を参照しながら詳細に説明する。
【００５７】
図７は、本発明に係るプラズマディスプレイ装置の構造を概略的に示す図面である。 
【００５８】
図７を参照すると、本発明に係るプラズマディスプレイ装置は、プラズマディスプレイパネル１００と、プラズマディスプレイパネル１００の下部基板(図示していない)に形成されたデータ電極(Ｘ１ないしＸｍ)にデータを供給するためのデータ駆動部１２２と、スキャン電極(Ｙ１ないしＹｎ)を駆動するためのスキャン駆動部１２３と、共通電極であるサステイン電極（Ｚ）を駆動するためのサステイン駆動部１２４と、前記データ駆動部１２２を制御し、データ電極らに印加されるデータ電圧を調節するデータ電圧制御部１２６と、プラズマディスプレイパネル駆動時、データ駆動部１２２、スキャン駆動部１２３、サステイン駆動部１２４を制御するためのタイミングコントロール部１２１と及び各々の駆動部１２２、１２３、１２４に必要な駆動電圧を供給するための駆動電圧発生部１２５を含む。
【００５９】
まず、プラズマディスプレイパネル１００は上部基板（図示していない）と下部基板（図示していない）が一定の間隔を置いて合着して、上部基板には多数の電極、例えば、スキャン電極(Ｙ１ないしＹｎ)及びサステイン電極（Ｚ）が対をなして形成されて、下部基板にはスキャン電極(Ｙ１ないしＹｎ)及びサステイン電極（Ｚ）と交叉するようにデータ電極 (Ｘ１ないしＸｍ)が形成される。
【００６０】
データ駆動部１２２には図示しない逆ガンマ補正回路、誤差拡散回路などにより逆ガンマ補正及び誤差拡散された後、サブフィールドマッピング回路により各サブフィールドにマッピングされたデータが供給される。このようなデータ駆動部１２２はタイミングコントロール部１２１からのタイミング制御信号(ＣＴＲＸ)に応答し、データをサンプリングしてラッチした後、そのデータをデータ電極 (Ｘ１ないしＸｍ)に供給することになる。
【００６１】
データ電圧制御部１２６はデータ駆動部１２２を制御し、アドレス期間の間にデータ電極 (Ｘ１ないしＸｍ)に供給されるデータ電圧を調節する。このようなデータ電圧制御部１２６はタイミングコントロール部１２１により制御される。ここで、データ電圧はアドレス期間の間に印加される状態電圧全部をいう。即ち、データ電圧は後述するデータ電極にデータを供給するためのデータ基準電圧(Ｖｄ)、データ基準電圧(Ｖｄ) より低く、グラウンド(ＧＮＤ)レベルより高い電圧(Ｖｄ-ΔＶ)、所定期間の間に維持されるフローティング、または、グラウンドレベルをいう。この際、データ電圧制御部１２６はデータ電極に供給されるデータによって発生する変位電流によってフローティング状態に維持させたり、あるいは、グラウンドレベルに維持させるようにして、データ基準電圧(Ｖｄ) より低く、グラウンド(ＧＮＤ) レベルより高い電圧(Ｖｄ-ΔＶ)レベルを制御する。
【００６２】
スキャン駆動部１２３はタイミングコントロール部１２１の制御下にリセット期間の間に所定のランプ波形(Ｒａｍｐ)をスキャン電極 (Ｙ１ないしＹｎ)に供給して、アドレス期間の間にスキャンパルスをスキャン電極 (Ｙ１ないしＹｎ)に順次に供給して、プラズマディスプレイパネル全体をスキャンする。以後、サステイン期間間にはサステインパルスをスキャン電極 (Ｙ１ないしＹｎ)に供給して表示放電を起こすようにする。 
【００６３】
サステイン駆動部１２４はタイミングコントロール部１２１の制御下にサステイン期間間スキャン駆動部１２３と交互に動作し、サステインパルスをサステイン電極（Ｚ）に供給して表示放電を起こすようにする。
【００６４】
タイミングコントロール部１２１は垂直／水平同期信号とクロック信号を入力受けて、リセット期間、アドレス期間、サステイン期間で各駆動部１２２、１２３、１２４とデータ電圧制御部１２６の動作タイミングと同期化を制御するためのタイミング制御信号 (ＣＴＲＸ、ＣＴＲＹ、ＣＴＲＺ、ＣＴＲＥＲＳ１)を発生して、そのタイミング制御信号 (ＣＴＲＸ、ＣＴＲＹ、ＣＴＲＺ、ＣＴＲＥＲＳ１)を該駆動部１２２、１２３、１２４とデータ電圧制御部１２６に供給することにより、各駆動部及び制御部１２２、１２３、１２４、１２６を制御する。 
【００６５】
一方、データ制御信号(ＣＴＲＸ)にはデータをサンプリングするためのサンプリングクロック、ラッチ制御信号、エネルギー回収回路と駆動スイッチ素子のオン／オフタイムを制御するためのスイッチ制御信号が含まれる。スキャン制御信号(ＣＴＲＹ)にはスキャン駆動部１２３内のエネルギー回収回路と駆動スイッチ素子のオン／オフタイムを制御するためのスイッチ制御信号が含まれて、サステイン制御信号(ＣＴＲＺ)にはサステイン駆動部１２４内のエネルギー回収回路と駆動スイッチ素子のオン／オフタイムを制御するためのスイッチ制御信号が含まれる。
【００６６】
駆動電圧発生部１２５はセットアップ電圧(Ｖｓｅｔｕｐ)、スキャン共通電圧(Ｖｓｃａｎ-ｃｏｍ)、スキャン電圧(-Ｖｙ)、サステイン電圧(Ｖｓ)、データ電圧(Ｖｄ、Ｖｄ-ΔＶ、ＧＮＤ)などを発生する。このような駆動電圧は放電ガスの組成や放電セル構造によって変わることができる。
【００６７】
図８は本発明に係るプラズマディスプレイ装置の駆動方法を説明するために従来の格子紋パターンによるデータ電極の電位変化を示すものである。即ち、図５の格子紋パターンに該当する映像データがデータ電極に印加されると、１つのデータ電極の電位変化は１つのスキャン電極がスキャンされる度にデータ電圧(Ｖｄ)とグラウンドレベル(０Ｖ）が変わるものである。 
【００６８】
このような電位の変化は図３に示すようにデータドライバＩＣ３００-１ないし３００-ｍの第１データスイッチング素子３１０-１ないし３１０-ｍと第２データスイッチング素子３３０-１ないし３３０-ｎの動作によりなされる。
【００６９】
即ち、１つのスキャン電極がスキャンされる際、１つのデータ電極を担当するデータドライバＩＣの第１データスイッチング素子と第２データスイッチング素子が各々ターンオン、ターンオフされ、１つのデータ電極にデータ基準電圧(Ｖｄ)が印加されて、次回のスキャン電極がスキャンされる際、１つのデータ電極を担当するデータドライバＩＣの第１データスイッチング素子及び第２データスイッチング素子が各々ターンオフ及びターンオンされてグラウンドレベルが印加される。
【００７０】
従って、変位電流の大きさを最小化するにはデータドライバＩＣのスイッチング回数を減らすことが重要である。
【００７１】
図９は、本発明に係るプラズマ表示装置に含まれたデータドライバＩＣの動作モードを示すものである。 
【００７２】
従来のデータドライバＩＣの動作モードは単に２種類だけである。即ち、１つのデータ電極にデータ基準電圧(Ｖｄ)を印加する場合と１つのデータ電極にグラウンドレベルを印加する場合である。このように２種類の動作モードを有すると、格子紋パターンでスイッチング回数が増加せざるをえない。
【００７３】
従って、本発明に係るプラズマ表示装置に含まれたデータドライバＩＣは４種類の動作モードを有する。即ち、図９の(ａ)に示すように、１つのデータ電極にデータ基準電圧(Ｖｄ)が印加される場合、図９の(ｂ)に示すように、１つのデータ電極にグラウンド(ＧＮＤ)レベルが印加される場合、図９の(ｃ)に示すようにデータ電極がフローティング状態(ｆｌｏａｔｉｎｇ)となる場合、そして、図９の(ｄ)のようにデータ電極がデータ基準電圧(Ｖｄ)より低く、グラウンドレベルより高い電圧(Ｖｄ-ΔＶ)が印加される場合である。一方、フローティング状態、グラウンド(ＧＮＤ)状態、及び、データ基準電圧より低く且つグラウンド電圧より高い状態(Ｖｄ-ΔＶ)では、アドレッシング放電が起きない。 
【００７４】
図１０は、本発明に係るプラズマ表示装置に含まれたデータドライバＩＣの動作モードによる１つのデータ電極でいろいろ電位変化を示すものである。
【００７５】
まず、図１０の(ａ)を参照すると、データ電極に格子パターンでデータが供給する際、１つのデータ電極の電位がデータ基準電圧(Ｖｄ)からグラウンド(ＧＮＤ)レベルに変わるのでなく、フローティング(ｆｌｏａｔｉｎｇ) 状態で維持される。このように、データ電極に印加される電位は本発明に含まれたデータドライバＩＣ内のスイッチング素子の動作により変化する。即ち、図９の(ａ)のようにデータ電極にデータ基準電圧(Ｖｄ)を印加するためにデータドライバＩＣ内の第１データスイッチング素子(３００-１ないし３００-ｍ)のみスイッチング動作し、図９の(ｃ)のように、第２データスイッチング素子(３３０-１ないし３３０-ｍ)がターンオフされてフローティング状態で維持されることにより上述の格子パターンによるデータ変位電流が最小化する。 
【００７６】
図１０の(ｂ)を参照すると、データ電極に格子パターンでデータが供給する時、１つのデータ電極の電位がデータ基準電圧(Ｖｄ)からグラウンド(ＧＮＤ)レベルに変化した後、次のデータ基準電圧(Ｖｄ)が印加される前までフローティング状態で維持される。このようなデータ電極の電位は、まず、図９の(ａ)のように、データ電極にデータ基準電圧(Ｖｄ)を印加するためにデータドライバＩＣ内の第１データスイッチング素子(３００-１ないし３００-ｍ)がスイッチング動作をした後、図９の(ｂ)のように、データ電極がグラウンドレベルまで下降するように第２データスイッチング素子(３３０-１ないし３３０-ｍ)のスイッチング動作をした後、図９の(ｃ)のように、第１データスイッチング素子及び第２データスイッチング素子がターンオフしてフローティング状態を有するようにすることにより、格子パターンによるデータ変位電流を減らすことになる。
【００７７】
図１０の(ｃ)及び図１０の(ｄ)を参照すると、データ電極に格子パターンでデータが供給する際、１つのデータ電極の電位がデータ基準電圧(Ｖｄ)からグラウンド(ＧＮＤ)レベルに変化した後、次のデータ基準電圧(Ｖｄ)が印加される前までの期間内で、所定期間の間各々グラウンドレベル状態とフローティング状態を有する。即ち、図１０の(ｃ)のみを参照してデータ電極の電位が変化する動作を考察すると、まず図９の(ａ)のように、データ電極にデータ基準電圧(Ｖｄ)を印加するためにデータドライバＩＣ内の第１データスイッチング素子(３００-１ないし３００-ｍ)がスイッチング動作をした後、図９の(ｂ)のように、データ電極がグラウンドレベルまで下降して、一定期間の間にグラウンドレベルが維持されるように第２データスイッチング素子(３３０-１ないし３３０-ｍ)がスイッチング動作をした後、図９の(ｃ)のように、第１データスイッチング素子及び第２データスイッチング素子がターンオフされ、フローティング状態で維持することになる。あるいは、以後、また図９の(ｂ)のように、データ電極がグラウンドレベルに維持されるように第２データスイッチング素子がスイッチング動作をし、図１０の(ｄ)のようにデータ電極の電位が変化する。これによって、格子パターンによって発生する変位電流を減らすことになる。
【００７８】
図１０の(ｅ)を参照すると、データ電極に格子パターンでデータが供給される際、１つのデータ電極の電位がデータ基準電圧(Ｖｄ)からグラウンド(ＧＮＤ)レベルより高く且つデータ基準電圧(Ｖｄ)より低い電圧(Ｖｄ-ΔＶ)に変化し、次にデータ基準電圧(Ｖｄ)が印加される前までの状態を有する。このようなデータ電極の電位は、まず、図９の(ａ)のように、データ電極にデータ基準電圧(Ｖｄ)が印加されるようにするために、データドライバＩＣ内の第１データスイッチング素子(３００-１ないし３００-ｍ)がデータ基準電圧(Ｖｄ)源にターンオンされた後、以後、図９の(ｄ)のように、データ電極がグラウンド(ＧＮＤ)レベルより高くて、データ基準電圧(Ｖｄ)より低い電圧(Ｖｄ-ΔＶ)まで下降して維持されるように、前記第１データスイッチング素子(３００-１ないし３００-ｍ)がグラウンド(ＧＮＤ)レベルより高く且つデータ基準電圧(Ｖｄ)より低い電圧(Ｖｄ-ΔＶ)源にターンオンされる。
【図面の簡単な説明】
【００７９】
【図１】一般的なプラズマ表示パネルの構造を示す斜視図である。
【図２】従来のプラズマディスプレイパネルの駆動方法を説明するための駆動波形を示す図面である。
【図３】従来のプラズマ表示パネルのアドレス期間の間に駆動する駆動回路の動作を説明するための図面である。
【図４】従来のプラズマ表示パネルで発生する変位電流が最大となる映像信号の波形図である。
【図５】従来のプラズマ表示パネルで変位電流が最大となる映像データによって表示される画像を示す図面である。
【図６】従来のプラズマ表示パネルで画質の向上のためのディサリング過程に使われる４／８レベルのディサマスクパターンを示す図面である。
【図７】本発明に係るプラズマディスプレイ装置の構造を概略的に示す図面である。
【図８】本発明に係るプラズマディスプレイ装置の駆動方法を説明するために従来の格子紋パターンによるデータ電極の電位変化を示す図面である。
【図９】本発明に係るプラズマ表示装置に含まれたデータドライバＩＣの動作モードを示す図面である。
【図１０】本発明に係るプラズマ表示装置に含まれたデータドライバＩＣの動作モードによる１つのデータ電極でいろいろ電位変化を示す図面である。
【符号の説明】
【００８０】
１００    プラズマディスプレイパネル
１２１    タイミングコントロール部
１２２    データ駆動部
１２３    スキャン駆動部
１２４    サステイン駆動部
１２５    駆動電圧発生部 
１２６    データ電圧制御部
【図１】
2006018288.tif 000003
【図２】
2006018288.tif 000004
【図３】
2006018288.tif 000005
【図４】
2006018288.tif 000006
【図５】
2006018288.tif 000007
【図６】
2006018288.tif 000008
【図７】
2006018288.tif 000009
【図８】
2006018288.tif 000010
【図９】
2006018288.tif 000011
【図１０】
2006018288.tif 000012